(57)【特許請求の範囲】
【請求項１】
被洗浄車両に対して前後方向に相対移動する洗車機本体と、前記洗車機本体に回動軸を形成するシャフトの一端を軸支部により軸支して被洗浄車両を洗浄する回転ブラシとを備えた洗車機において、
前記回転ブラシの偏心を修整するバランサを前記シャフトの前記軸支部が配される一端部に設けたことを特徴とする洗車機。
【請求項２】
前記バランサが前記シャフトに取り付けられて径方向に延びる長穴を有する支持部材と、前記長穴に挿通される固定部材を介して前記支持部材に固定されるおもりとを有し、
前記支持部材の取付位置を前記シャフトの周方向に可変にするとともに、前記おもりの取付位置を前記長穴に沿って可変にしたことを特徴とする請求項１に記載の洗車機。
【請求項３】
前記支持部材が周方向に複数の取付孔を有して前記シャフトの端面に固定される取付部と、前記取付部から径方向に延びて前記長穴が形成される延設部とを有することを特徴とする請求項２に記載の洗車機。
【請求項４】
前記バランサが前記シャフトに取り付けられて径方向に延びる長穴を有する支持部材と、前記長穴に挿通される固定部材を介して前記支持部材に固定されるおもりとを有し
前記長穴を放射状に複数設けるとともに前記おもりの取付位置を前記長穴に沿って可変にしたことを特徴とする請求項１に記載の洗車機。
【請求項５】
前記シャフトがモータに連結されるスプロケットを介して前記洗車機本体に軸支され、前記スプロケットの軸方向端面上に前記支持部材が取り付けられることを特徴とする請求項２〜４のいずれかに記載の洗車機。
【請求項６】
前記回転ブラシが上端を前記洗車機本体に軸支して被洗浄車両を洗浄するサイドブラシからなることを特徴とする請求項１〜５のいずれかに記載の洗車機。
【発明の詳細な説明】
【技術分野】
【０００１】
本発明は、回転ブラシを備えた洗車機に関する。
【背景技術】
【０００２】
給油所等に設置される従来の洗車機は特許文献１に開示されている。洗車機は被洗浄車両に対して前後方向に移動させる洗車機本体を備えている。洗車機本体は左右の対向する２つのスタンド部と、スタンド部の上端を連結する天井部とを有して被洗浄車両を跨いで門型に形成される。
【０００３】
洗車機本体には洗浄部及び乾燥部が設けられている。洗浄部は被洗浄車両の上面を洗浄するトップブラシ及び被洗浄車両の側面を洗浄する一対のサイドブラシから成る複数の回転ブラシを備えている。回転ブラシはシャフト及びブラシ体を有している。トップブラシのシャフトは左右方向に延び、両端を洗車機本体に軸支される。サイドブラシのシャフトは上下方向に延び、上端を洗車機本体に軸支される。ブラシ体は発泡樹脂や布等により形成され、シャフトの周面に複数取り付けられる。
【０００４】
乾燥部はサイド送風ノズル及びトップ送風ノズルを有している。サイド送風ノズルは左右のスタンド部のそれぞれに設けられ、被洗浄車両ＣＡの側面に向けて送風する。トップ送風ノズルは天井部に設けられ、被洗浄車両ＣＡの上面に向けて送風する。
【０００５】
上記構成の洗車機において、ユーザが洗車条件を設定すると、洗車機本体が被洗浄車両に対して前後方向に移動し、洗浄部による被洗浄車両の洗浄が開始される。トップブラシにより被洗浄車両の上面を洗浄し、サイドブラシにより被洗浄車両の側面を洗浄する。
【０００６】
また、洗浄部による洗浄に続き、乾燥部により空気を被洗浄車両に送風して被洗浄車両を乾燥させる。
【先行技術文献】
【特許文献】
【０００７】
【特許文献１】特開平０７−０４７９３５  号公報
【発明の概要】
【発明が解決しようとする課題】
【０００８】
しかしながら、上記従来の洗車機によると、シャフト上に複数のブラシ体が取り付けられるため、各ブラシ体の大きさが不均一になると回転ブラシが偏心する。この時、サイドブラシは軸方向の一端で軸支されるため、回転時にブレが生じる。これにより、被洗浄車両に対するブラシ体の接触圧が不均一になり、洗浄力が低下する問題があった。また、サイドブラシを軸支する洗車機本体の金属疲労が発生し、メンテナンスにかかるコストが大きくなる問題もあった。
【０００９】
本発明は、コストを削減するとともに、洗浄力を向上できる洗車機を提供することを目的とする。
【課題を解決するための手段】
【００１０】
上記目的を達成するために本発明は、被洗浄車両に対して前後方向に相対移動する洗車機本体と、前記洗車機本体に回動軸を形成するシャフトの一端を軸支部により軸支して被洗浄車両を洗浄する回転ブラシとを備えた洗車機において、前記回転ブラシの偏心を修整するバランサを前記シャフトの前記軸支部が配される一端部に設けたことを特徴とする。
【００１１】
また、本発明は上記構成の洗車機において、前記バランサが前記シャフトに取り付けられて径方向に延びる長穴を有する前記支持部材と、前記長穴に挿通される固定部材を介して支持部材に固定されるおもりとを有し、前記支持部材の取付位置を前記シャフトの周方向に可変にするとともに、前記おもりの取付位置を前記長穴に沿って可変にしたことを特徴とする。
【００１２】
また、本発明は上記構成の洗車機において、前記支持部材が周方向に複数の取付孔を有して前記シャフトの端面に固定される取付部と、前記取付部から径方向に延びて前記長穴が形成される延設部とを有することを特徴とする。
【００１３】
また、本発明は上記構成の洗車機において、前記長穴を放射状に複数設けるとともに前記おもりの取付位置を前記長穴に沿って可変にしたことを特徴とする。
【００１４】
また、本発明は上記構成の洗車機において、前記シャフトがモータに連結されるスプロケットを介して前記洗車機本体に軸支され、前記スプロケットの軸方向端面上に前記支持部材が取り付けられていることを特徴とする。
【００１５】
また、本発明は上記構成の洗車機において、前記回転ブラシが上端を前記洗車機本体に軸支して被洗浄車両を洗浄するサイドブラシからなることを特徴とする。
【発明の効果】
【００１６】
本発明によると、回転ブラシの偏心を修整するバランサをシャフトの軸支部が配される一端部に設けた。従って、回転ブラシの偏心が修整されて洗浄力を向上でき、洗車機本体の金属疲労を抑制してコストを削減できる。
【図面の簡単な説明】
【００１７】
【図１】本発明の第１実施形態の洗車機を示す側面図
【図２】本発明の第１実施形態の洗車機を示す正面図
【図３】本発明の第１実施形態の洗車機のトップブラシの上部を示す斜視図
【図４】本発明の第１実施形態の洗車機のスプロケット周辺を示す上面図
【図５】図５のＡ−Ａ断面図
【図６】本発明の第２実施形態の洗車機のトップブラシのバランサを示す上面図
【図７】本発明の第３実施形態の洗車機のトップブラシのバランサを示す上面図
【発明を実施するための形態】
【００１８】
以下に本発明の実施形態を図面を参照して説明する。図１、図２は本発明の第１実施形態の洗車機ＷＡを示す側面図及び正面図である。洗車機ＷＡは洗車機本体１、コンベア４０及びリモートパネル７Ａを備えている。洗車機本体１は左右の対向する２つのスタンド部９０と、スタンド部９０の上端を連結する天井部９１とを有した門型に形成して地面Ｇに固定して設けられている。
【００１９】
コンベア４０は洗車機本体１内に前後方向に延びて左右一対で設けられ、コンベア４０には被洗浄車両ＣＡが積載される。コンベア４０の後端または前端には駆動モータ（不図示）の軸部と接続している。このため、駆動モータが回転するとコンベア４０が回転し、コンベア４０に載置される被洗浄車両ＣＡは前後方向に移動される。
【００２０】
リモートパネル７Ａは洗車機本体１の進入経路Ｓ上に配される。被洗浄車両ＣＡはリモートパネル７Ａの面前で停車し、ユーザは被洗浄車両ＣＡ内からリモートパネル７Ａの操作によって洗車条件の設定を行う。
【００２１】
リモートパネル７Ａに設けたボタンにより、シャンプー、ワックス掛け、撥水コート等に使用する液剤を用いた洗車条件を設定することができる。また、フロントガード有り、フェンダーポール有り、サイドミラー有り、リヤワイパー有り、ルーフキャリア有り等の装備品の設定もすることができる。
【００２２】
スタンド部９０には洗剤やワックス等の各種液剤を貯液した複数の貯液タンク（不図示）を収納するタンク収納部３０が配される。タンク収納部３０の上方には市水及び各貯液タンクからの液剤を分配する分配配管部３１が設けられる。分配配管部３１には噴射ノズルからなる第１、第２浄水ノズル１１、１３、第１、第２洗剤ノズル１２、１５、撥水コートノズル１４、ワックスノズル１６がそれぞれ電磁弁（不図示）を介して導出される。
【００２３】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対してシャンプーなどの液体を噴射する。撥水コートノズル１４及びワックスノズル１６は洗車機本体１の後面に配される。撥水コートノズル１４は被洗浄車両ＣＡに対して撥水コート剤の液体を噴射する。ワックスノズル１６は被洗浄車両ＣＡに対して液体のワックスを噴射する。
【００２４】
洗車機本体１の前面上部、側部には車両形状センサ８、９が設けられている。車両形状センサ８、９は光電センサや超音波センサ等から成り、洗車機本体１に進入する被洗浄車両ＣＡの外面形状を検知する。これにより、洗車機本体１の走行範囲の位置が決められる。
【００２５】
洗車機本体１の一方のスタンド部９０の前面には操作パネル７が配される。操作パネル７は洗車条件を設定するリモートパネル７Ａと同様の操作ボタン（不図示）を備えている。
【００２６】
洗車機本体１には気流を発生して被洗浄車両ＣＡを乾燥させるブロア２０が設けられる。ブロア２０にはサイド送風ノズル２２及びトップ送風ノズル４１が接続される。サイド送風ノズル２２は洗車機本体１の両側部にそれぞれ設けられ、被洗浄車両ＣＡの側面に向けて送風する。トップ送風ノズル４１は被洗浄車両ＣＡの上面に向けて送風する。サイド送風ノズル２２及びトップ送風ノズル４１の送風によって被洗浄車両ＣＡを乾燥させることができる。
【００２７】
洗車機本体１には被洗浄車両ＣＡ上に摺動してブラッシングするトップブラシ４、ロッカーブラシ６及びサイドブラシ５から成る複数の回転ブラシが設けられる。トップブラシ４は天井部９１に設けられ、被洗浄車両ＣＡの上面に沿って移動して被洗浄車両ＣＡの上面を洗浄する。ロッカーブラシ６は左右のスタンド部９０の下部に設けられ、被洗浄車両ＣＡの両側面の下部を洗浄する。サイドブラシ５はスタンド部９０内に配され、被洗浄車両ＣＡの側面を洗浄する。なお、サイドブラシ５は上端が軸支され、ロッカーブラシ６は被洗浄車両ＣＡから遠い端部が軸支され、トップブラシ４は両端が軸支されている。
【００２８】
図３はサイドブラシ５の上部を示す斜視図である。サイドブラシ５は発泡樹脂や布等により形成された複数のブラシ体５ａを有している。ブラシ体５ａはシャフト４９の周面に放射状に複数取り付けられるとともに、シャフト４９の軸方向に複数段に設けられる。
【００２９】
洗車機本体１には左右一対の上板５１及び下板５２を有したアーム部材５０が設けられ、アーム部材５０の一端には軸部４８が設けられ、他端にサイドブラシ５のシャフト４９が連結される。軸部４８は洗車機本体１に軸支され、水平面内で回動可能になっている。
【００３０】
アーム部材５０にはモータ５４及びスプロケット６０が設けられている。モータ５４は上板５１に設けられ、スプロケット６０はシャフト４９の上端面に取り付けられている。モータ５４の軸部５４ａは上板５１から突出し、軸部５４ａとスプロケット６０との間にはチェーン５５が設けられている。モータ５４が回転するとチェーン５５を介してスプロケット６０と一体のサイドブラシ５が回転する。また、スプロケット６０の上面にはバランサ６５が設けられている。
【００３１】
図４はスプロケット６０周辺を示す上面図を示し、図５は図４のＡ−Ａ断面図を示している。上板５１の外側の端部には開口部５１ａが設けられ、開口部５１ａにはベアリング（軸支部）５３が設けられている。スプロケット６０は突出部６０ａ及び嵌合部６０ｂを有した筒状に形成されている。突出部６０ａは上下方向の中央部に設けられて水平方向に突出し、チェーン５５が巻回される。嵌合部６０ｂは突出部６０ａの下方に設けられ、ベアリング５３に嵌合する。
【００３２】
スプロケット６０にはサイドブラシ５の回転軸を形成するシャフト４９の上端部が挿通されている。
【００３３】
スプロケット６０の上面にはバランサ６５が設けられている。バランサ６５は支持部材６９及びおもり６１、６２を有している。支持部材６９は鍵孔形状の金属板により形成され、取付部６７及び延設部６８を有している。
【００３４】
取付部６７は円状に形成され、取付孔６７ａ、６７ｂを有している。取付孔６７ａはシャフト４９の周方向に複数形成され、本実施形態では周方向に等間隔に１２個形成されている。取付孔６７ｂは取付部６７の中央部に設けられている。取付孔６７ａにはネジ７５ｂ、７５ｃが挿通され、取付孔６７ｂにはネジ７５ａが挿通される。ネジ７５ｂ、７５ｃによって支持部材６９がスプロケット６０と固定され、ネジ７５ａによって支持部材６９がシャフト４９の上端に固定される。これにより、モータ５４が駆動されると、スプロケット６０、支持部材６９及びサイドブラシ５が回転する。
【００３５】
取付孔６７ａはシャフト４９の周方向に複数設けられているので、ネジ７５ｂ、７５ｃの挿通する位置を変更することで支持部材６９の取付位置を周方向に可変になっている。
【００３６】
延設部６８は取付部６７から径方向に延びる矩形状に形成されている。本実施形態において延設部６８の長手方向の長さＤ１は約９０ｍｍに形成され、短手方向の長さＤ２は５０ｍｍに形成されている。
【００３７】
延設部６８には径方向に延びる長穴６６が設けられている。長穴６６にはネジ７５ｆ、７５ｇ（固定部材）が挿通され、延設部６８上に設けられるおもり６２を固定する。おもり６２の上にはおもり６２に対して内周方向に延びる複数のおもり６１が載置されている。本実施形態においておもり６１は７枚載置されている。おもり６１には取付孔（不図示）が設けられ、取付孔にはネジ７５ｄ、７５ｅが挿通される。ネジ７５ｄ、７５ｅによりおもり６１はおもり６２に固定されている。ネジ７５ｆ、７５ｇを緩めると、おもり６１、６２が径方向に移動させることができる。
【００３８】
また、最下段のおもり６１の下面は取付部６７を固定するネジ７５ａ、７５ｂ、７５ｃよりも上方に配されている。このため、長穴６６介しておもり６１、６２を内周方向に移動させても、おもり６１がネジ７５ａ、７５ｂ、７５ｃに当接しない。これにより、おもり６１の内周方向の移動距離を大きくすることができる。
【００３９】
上記構成の洗車機ＷＡにおいて、ユーザが運転して被洗浄車両ＣＡをリモートパネル７Ａの面前で停車させ、被洗浄車両ＣＡの洗車条件の設定を被洗浄車両ＣＡ内から行う。
【００４０】
洗車条件を設定した後、ユーザは所定の洗浄開始位置まで被洗浄車両ＣＡをコンベア４０上に移動させる。コンベア４０が回転すると、被洗浄車両ＣＡが前後方向に移動して洗車機本体１によって跨がれた被洗浄車両ＣＡはトップブラシ４、サイドブラシ５による洗浄が開始される。
【００４１】
サイドブラシ５の洗浄時にサイドブラシ５は軸部４８を介してサイドブラシ５が水平方向に回動し、これにより被洗浄車両ＣＡの前面及び後面を洗浄する。
【００４２】
サイドブラシ５はシャフト４９上に複数のブラシ体５ａが取り付けられるため、各ブラシ体５ａの大きさが不均一になると偏心する。また、サイドブラシ５はブラシ体５ａに部分的な摩耗や破損等の経年劣化が生じると偏心する。サイドブラシ５は軸方向の一端が支持されるため偏心によって回転時のブレが大きくなる。
【００４３】
この時、支持部材６９の取付位置をシャフト４９の周方向に可変し、おもり６１、６２の取付位置を長穴６６に沿って変更して偏心を修整する。さらに、おもり６１、６２の重量を変更することにより、偏心を容易に修整できる。これにより、バランサ６５がサイドブラシ５とともに回転することにより、サイドブラシ５の回転時のブレを小さくすることができる。
【００４４】
その後、サイド送風ノズル２２及びトップ送風ノズル４１から被洗浄車両ＣＡに向けて空気を送風して被洗浄車両ＣＡを乾燥させる。
【００４５】
本実施形態によると、サイドブラシ５の偏心を修整するバランサ６５をベアリング５３が配されるシャフト４９の上端部に設けた。従って、サイドブラシ５の偏心が修整されて洗浄力を向上でき、洗車機本体１の金属疲労を抑制してコストを削減できる。
【００４６】
支持部材６９の取付位置をシャフト４９の周方向に可変し、おもり６１、６２の取付位置を長穴６６に沿って径方向に可変にている。これにより、サイドブラシ５の偏心を容易に修整できる。
【００４７】
支持部材６９が周方向に複数の取付孔６７ａを有してシャフト４９の端面に固定される取付部６７と、取付部６７から径方向に延びて長穴６６が形成される延設部６８を有した。これにより、サイドブラシ５の重心を径方向、周方向に可変して偏心を修整できるバランサ６５を容易に実現できる。
【００４８】
＜第２実施形態＞
次に、図６は第２実施形態の洗車機ＷＡのサイドブラシ５のバランサ６５の上面図を示している。説明の便宜上、前述の図１〜図５に示す第１実施形態と同様の部分には同一の符号を付している。本実施形態はバランサ６５の支持部材６９の形状が第１実施形態と異なっている。その他の部分は第１実施形態と同様である。
【００４９】
支持部材６９は取付孔６７ａ、６７ｂを有する取付部６７から複数の延設部６８（本実施形態では１２個）が放射状に延びて形成される。各延設部６８にはそれぞれ長穴６６が設けられる。取付孔６７ａ、６７ｂにネジ７５ａ、７５ｂ、７５ｃ（図５参照）を挿通して取付部６７がスプロケット６０及びシャフト４９の上面に固定される。
【００５０】
また、何れか一の長穴６６にネジ７５ｆ、７５ｇ（図５参照）を挿通しておもり６１、６２が支持部材６９に取り付けられる。これにより、おもり６１、６２の取付位置が周方向及び径方向に可変に形成され、サイドブラシ５の偏心を修正することができる。
【００５１】
本実施形態によると、第１実施形態と同様の効果を得ることができる。また、支持部材６９がシャフト４９の上端に取り付けられる取付部６７から放射状に延びて長穴６６を有した複数の延設部６８を有する。これにより、第１実施形態の支持部材６９よりも重量が大きくなるが、おもり６１、６２の取付位置を変更するだけでサイドブラシ５の重心を可変することができる。従って、サイドブラシ５の偏心をより簡単に修正することができる。
【００５２】
＜第３実施形態＞
次に、図７は第３実施形態の洗車機ＷＡのサイドブラシ５のバランサ６５の上面図を示している。説明の便宜上、前述の図１〜図５に示す第１実施形態と同様の部分には同一の符号を付している。本実施形態はバランサ６５の支持部材６９の形状が第１実施形態と異なっている。その他の部分は第１実施形態と同様である。
【００５３】
支持部材６９は円板形状に形成され、取付孔６７ａ、６７ｂを有する内周部の取付部６７の外周側に複数の長穴６６が放射状に形成される。
【００５４】
取付孔６７ａ、６７ｂにネジ７５ａ、７５ｂ、７５ｃ（図５参照）を挿通して支持部材６９がスプロケット６０及びシャフト４９の上面に固定される。
【００５５】
また、何れか一の長穴６６にネジ７５ｆ、７５ｇ（図５参照）を挿通しておもり６１、６２が支持部材６９に取り付けられる。これにより、おもり６１、６２の取付位置が周方向及び径方向に可変に形成され、サイドブラシ５の偏心を修正することができる。
【００５６】
本実施形態によると、第１実施形態と同様の効果を得ることができる。また、支持部材６９が放射状に延びる複数の長穴６６を有する。これにより、第１実施形態の支持部材６９よりも重量が大きくなるが、おもり６１、６２の取付位置を変更するだけでサイドブラシ５の重心を可変することができる。従って、サイドブラシ５の偏心をより簡単に修正することができる。尚、第２実施形態の支持部材６９は本実施形態の支持部材６９よりも加工が複雑になるが軽量化を図ることができる。
【００５７】
第１、第２本実施形態において、被洗浄車両ＣＡに対して外側の軸支部（不図示）により軸支されているロッカーブラシ６にバランサ６５を設けてもよい。これにより、第１実施形態と同様の効果を奏することができる。
【００５８】
第１、第２本実施形態において、洗車機本体１の下に前後方向に延びる左右一対のレールを設け、レール上を洗車機本体１が前後方向に移動して被洗浄車両ＣＡを洗浄する構成でもよい。これにより、第１、第２実施形態と同様の効果を奏することができる。
【産業上の利用可能性】
【００５９】
本発明によると、サイドブラシを備えた洗車機に利用することができる。
【符号の説明】
【００６０】
１    洗車機本体
４    トップブラシ
５    サイドブラシ
６    ロッカーブラシ
７    操作パネル
１４    撥水コートノズル
１６    ワックスノズル
２０    ブロア
２２    サイド送風ノズル
３０    タンク収納部
３１    分配配管部
４０    コンベア
４１    トップ送風ノズル
４８    軸部
４９    シャフト
５０    アーム部材
５１    上板
５１ａ  開口部
５２    下板
５３    ベアリング（軸支部）
５４    モータ
５４ａ    軸部
５５    チェーン
６０    スプロケット
６０ａ  突出部
６０ｂ  嵌合部
６１    おもり
６２    おもり
６５    バランサ
６６    長穴
６７    取付部
６７ａ  取付孔
６７ｂ  取付孔
６８    延設部
６９    支持部材
７５ａ    ネジ
７５ｂ    ネジ
７５ｃ    ネジ
７５ｄ    ネジ
７５ｅ    ネジ
７５ｆ    ネジ（固定部材）
７５ｇ    ネジ（固定部材）
９０    スタンド部
９１    天井部
ＣＡ    被洗浄車両
ＷＡ    洗車機
【図１】
0006331852.tif 000002
【図２】
0006331852.tif 000003
【図３】
0006331852.tif 000004
【図４】
0006331852.tif 000005
【図５】
0006331852.tif 000006
【図６】
0006331852.tif 000007
【図７】
0006331852.tif 000008